(57)【要約】【課題】カードを別途用意する必要がなく、カードに誤った内容を記入する虞がないカード付き複写記入用紙を提供する。【課題の解決手段】カード付き複写記入用紙１は、それぞれ記入部を有する上位記入用紙２、中位記入用紙３，下位記入用紙４の下にカード台紙５を重ね合わせて互いの一端側で線糊６で綴じ合わせてなり、カード台紙５の下面側には、分離可能に疑似的に接着した二枚のフィルム８，９を接着し、カード台紙５に、フィルム８にまで及ぶようスリット１０を設けてカード部１１を区画形成する一方、上位記入用紙２の記入部に記入することで下位の各記入用紙３，４の記入部とカード部１１の上面に複写記入し得るよう発色剤層２２ａ，２２ｂと呈色剤層２３ａ，２３ｂとからなる複写構造を設けたものである。【選択図】    図２
2004216683.tif 000002
【特許請求の範囲】
【請求項１】
複数枚のそれぞれ記入部を有する記入用紙と、１枚のカード台紙とを重ね合わせて綴じ合わせてなり、前記カード台紙にはカード部を分離可能に設ける一方、最上位の記入用紙の記入部に記入することで下位に位置する各記入用紙の記入部と前記カード部の上面に複写記入し得るよう複写構造を設けたことを特徴とするカード付き複写記入用紙。
【請求項２】
複数枚のそれぞれ記入部を有する記入用紙の最下位にカード台紙を重ね合わせて互いの一端側で綴じ合わせてなり、前記カード台紙の下面側には、分離可能に疑似的に接着した二枚のフィルムを接着し、前記カード台紙に、前記二枚のフィルムの前記カード台紙側のフィルムにまで及ぶようスリットを設けてカード部を区画形成する一方、最上位の記入用紙の記入部に記入することで下位に位置する各記入用紙の記入部と前記カード部の上面に複写記入し得るよう複写構造を設けたことを特徴とするカード付き複写記入用紙。
【発明の詳細な説明】
【０００１】
【発明の属する技術分野】
本発明は、複写記入用紙に関し、特に、カード付き複写記入用紙に関する。
【０００２】
【従来の技術】
従来から複写記入用紙は多くの構成が知られているが、これら複写記入用紙に記入された内容に基づいてカードを発行する場合は、別途用意したカードに必要事項をあらためて手書き記入あるいは印字記入するものである。また、カードを記入用紙に分離可能に設けたカード用シートも知られているが、カードと記入用紙への記入は各別に行うものである（例えば、特許文献１参照）。
【０００３】
【特許文献１】
特開平２００２−１６６６８７号公報（第３頁、図１）
【０００４】
【発明が解決しようとする課題】
したがって、従来の複写記入用紙においては、別途用意したカード部に記入することが煩雑であるとともに、記入に際して、誤った内容を記入する事態を生じるという不都合があった。また、従来のカード用シートにおいても、別途カードへ記入することが煩雑であるとともに、記入に際して、誤った内容を記入する事態を生じるという不都合があった。本発明はこれらの不都合を解消したカード付き複写記入用紙を提供することを目的とする。
【０００５】
【課題を解決するための手段】
この目的を達成するため、本発明の請求項１に係るカード付き複写記入用紙は、複数枚のそれぞれ記入部を有する記入用紙と、１枚のカード台紙とを重ね合わせて綴じ合わせてなり、前記カード台紙にはカード部を分離可能に設ける一方、最上位の記入用紙の記入部に記入することで下位の各記入用紙の記入部とカード部の上面に複写記入し得るよう複写構造を設けたものである。
【０００６】
同じく上記目的を達成するために、本発明の請求項２に係るカード付き複写記入用紙は、複数枚のそれぞれ記入部を有する記入用紙の最下位にカード台紙を重ね合わせて互いの一端側で綴じ合わせてなり、前記カード台紙の下面側には、分離可能に疑似的に接着した二枚のフィルムを接着し、前記カード台紙に、前記二枚のフィルムの前記カード台紙側のフィルムにまで及ぶようスリットを設けてカード部を区画形成する一方、最上位の記入用紙の記入部に記入することで下位の各記入用紙の記入部とカード部の上面に複写記入し得るよう複写構造を設けたものである。
【０００７】
【発明の実施の形態】
以下、本発明をカード付き申込用紙に適用した場合の好適な実施形態を添付図面に基づいて詳細に説明する。ここにおいて、図１はカード付き申込用紙の平面図、図２は図１のＡ−Ａ線端面図、図３はカード台紙を示す平面図、図４は複写記入後にカード台紙から分離したカードを示す斜視図である。
【０００８】
図１及び図２に示すように、カード付き複写記入用紙１は、３枚の記入用紙である上位記入用紙２、中位記入用紙３、下位記入用紙４と、この下位記入用紙４の下にカード台紙５を重ね合わせて、互いの一端側に設けた線糊６で所定以上の力で離反すると分離可能に綴じ合わせてなる。前記カード台紙５の下面側には、疑似接着層７を介して分離可能に疑似的に接着した二枚の樹脂フィルム８，９を、樹脂フィルム８において接着している。そして、前記カード台紙５に、前記樹脂フィルム８にまで及ぶようスリット１０を設けて（図２参照）、カード部１１を区画形成している（図３参照）。したがって、カード部１１は樹脂フィルム８とともに、樹脂フィルム９から離反するように捲り上げて、カード台紙５から分離可能である。
【０００９】
図１に示すように、各記入用紙２，３，４の上面側には、「入会申込書」という表題１２とカード発行元表示１３のほか、申込年月日記入欄１４、申込者住所記入欄１５、申込者氏名記入欄１６、会員番号記入欄１７が、上下に対応する位置に設けられている（但し、上位記入用紙２についてのみ図示）。また、図３に示すように、カード台紙５の上面側には、案内文１８が表示されるとともに、カード部１１に「○○クラブ会員証」というカード名１９と、氏名記入欄２０及び会員番号記入欄２１を設けている。
【００１０】
図２に示すように、上位記入用紙２と中位記入用紙３の下面側には、申込年月日記入欄１４、申込者住所記入欄１５、申込者氏名記入欄１６、会員番号記入欄１７に対応位置して、発色剤層２２ａをそれぞれ設ける一方、中位記入用紙３と下位記入用紙４の上面側には、前記発色剤層２２ａと対向するように呈色剤層２３ａをそれぞれ設けている。また、下位記入用紙４の下面側には、図示していない申込者氏名記入欄及び会員番号記入欄に対応位置して、発色剤層２２ｂを設ける一方、カード台紙５のカード部１１の上面側には、前記発色剤層２２ｂと対向するように呈色剤層２３ｂを設けている。
【００１１】
したがって、上位記入用紙２の申込年月日記入欄１４、申込者住所記入欄１５、申込者氏名記入欄１６、会員番号記入欄１７に記入すると、同一事項が中位記入用紙３と下位記入用紙４の図示していない申込年月日記入欄、申込者住所記入欄、申込者氏名記入欄、会員番号記入欄にそれぞれ複写記入されるとともに、カード部１１の氏名記入欄２０及び会員番号記入欄２１に複写記入される。なお、前記会員番号記入欄１７にはあらかじめ会員番号情報２４を印字し、この会員番号情報２４を前記会員番号記入欄２１に複写記入している。この印字にあたっては、カード部１１上面がカード台紙５上面から突出せず同一平面を形成するとともに、２枚の樹脂フィルム８，９は薄いので、カード付き複写記入用紙１をプリンタにかけても移送は円滑に行われ、確実な印字動作がなされる。
【００１２】
次に、上述のように構成したカード付き複写記入用紙１の使用法を説明する。図１状態において、入会申込者が、空欄となっている申込年月日記入欄１４、申込者住所記入欄１５、申込者氏名記入欄１６に所定事項を記入すると、同一事項が中位記入用紙３と下位記入用紙４の図示していない申込年月日記入欄、申込者住所記入欄、申込者氏名記入欄に複写記入されるとともに、カード部１１の氏名記入欄２０及び会員番号記入欄２１にも複写記入される。
【００１３】
各記入用紙２，３，４を分離したうえ、カード台紙５からカード部１１を樹脂フィルム８とともに捲り上げると、前記樹脂フィルム８が樹脂フィルム９から離反することによって、前記カード部１１は樹脂フィルム８とともに前記カード台紙５から分離する。これによって、図４に示すように、裏面を樹脂フィルム８で被覆保護され、氏名情報２５が複写記入されたカード２６が形成され、一般のカード同様に使用可能となる。
【００１４】
なお、本発明は、上述した実施形態に限定されるものではなく、例えば、カード部１１はカード台紙５の下面に設けた１枚のフィルムに対して剥離可能に構成したり、カード台紙５にスリット１１で区画形成するのではなく、切り用ミシン目で区画形成したり、カード台紙５上面に貼付して構成してもよい。また、複写構造は発色剤層２２ａ，２２ｂと呈色剤層２３ａ，２３ｂの組み合わせによるほか、自己発色剤層や、カーボン層を利用することも可能である。さらに、カード付き複写記入用紙１は、入会申込用紙以外にも適用可能なことはもちろんであり、用途に応じて複写記入する各欄の位置や記入内容が種々変更されものである。
【００１５】
【発明の効果】
以上説明したところで明らかなように、本願の請求項１に係るカード付き複写記入用紙によれば、カードを別途用意する必要がなく簡便であるとともに、必要事項を複写記入することができるので、カードに誤った内容を記入する虞がないという効果を奏する。
【００１６】
また、本願の請求項２に係るカード付き複写記入用紙によれば、上記請求項１に係る発明の効果に加えて、カード部の記入面はカード台紙上面と同一面上にあるので、プリンタを用いた複写記入も容易、かつ確実にできるという効果を奏する。
【図面の簡単な説明】
【図１】カード付き申込用紙の平面図。
【図２】図１のＡ−Ａ線端面図。
【図３】カード台紙を示す平面図。
【図４】複写記入後にカード台紙から分離したカードを示す斜視図。
【符号の説明】
１      カード付き複写記入用紙
２      上位記入用紙
３      中位記入用紙
４      下位記入用紙
５      カード台紙
７      疑似接着層
８，９      樹脂フィルム
１０      スリット
１１      カード部
１５      申込者住所記入欄
１６      申込者氏名記入欄
１７，２１      会員番号記入欄
２０      氏名記入欄
２２ａ，２２ｂ      発色剤層
２３ａ，２３ｂ      呈色剤層
２４      会員番号情報
２５      会員氏名情報
２６      カード
【図１】
2004216683.tif 000003
【図２】
2004216683.tif 000004
【図３】
2004216683.tif 000005
【図４】
2004216683.tif 000006